(57)【特許請求の範囲】
【請求項１】
下部を地中に埋設して立設するポールの上部にケーシングが設けられると共にケーシング内に第１のコンセントと第２のコンセントとが並設させられ、外光の照度に応じてオンオフする自動スイッチが第１のコンセントに給電する給電回路に挿入されて第１のコンセントを上記自動スイッチを介して限時的に通電されるコンセントとし、第２のコンセントは常に通電される常時通電コンセントとしたことを特徴とする電源ポール。
【請求項２】
第１のコンセントと第２のコンセントの差し込み口が下方を向いていることを特徴とする請求項１記載の電源ポール。
【請求項３】
第１のコンセントと第２のコンセントに給電する電源コードがケーシングから連出され、電源コードの端部にプラグが取り付けられていることを特徴とする請求項１または請求項２記載の電源ポール。
【請求項４】
ケーシングに開閉自在な扉が取り付けられていることを特徴とする請求項１または請求項２または請求項３記載の電源ポール。
【発明の詳細な説明】
【０００１】
【産業上の利用分野】
本発明は、屋外に立設して電気を供給するのに用いる電源ポールに関するものである。
【０００２】
【従来の技術】
街路灯のような照明器具のような場合、照明器具を施工したとき照明器具の近傍に図７に示すようなＥＥスイッチと称される自動点滅スイッチ１′を取り付け、自動点滅スイッチ１′と照明器具との間の配線工事が行われている。そして自動点滅スイッチ１′を取り付けることにより、夕方になって暗くなると自動的に照明器具を点灯し、朝になって明るくなると自動的に照明器具を消灯するようになっている。
【０００３】
【発明が解決しようとする課題】
庭園等に照明器具を取り付け、外光の変化に応じて照明器具を自動的に点滅しようとした場合、自動点滅スイッチを特別に取り付けて配線工事しなければならなく、工事が大変であると共に専門の業者でしか施工することができなかった。本発明は上記問題点に鑑みてなされたものであって、本発明の目的とするところは照明器具をコンセントに接続するだけで自動的に照明器具が外光の変化に応じて点滅する電源ポールを提供するにある。
【０００４】
【課題を解決するための手段】
上記目的を達成するため本発明電源ポールＡは、下部を地中に埋設して立設するポール２の上部にケーシング３が設けられると共にケーシング３内に第１のコンセント４ａと第２のコンセント４ｂとが並設させられ、外光の照度に応じてオンオフする自動スイッチ１が第１のコンセント４ａに給電する給電回路に挿入されて第１のコンセント４ａを上記自動スイッチ１を介して限時的に通電されるコンセントとし、第２のコンセント４ｂは常に通電される常時通電コンセントとしたことを特徴とする。
【０００５】
また第１のコンセント４ａと第２のコンセント４ｂの差し込み口が下方を向いていることを特徴とすることも好ましい。
【０００６】
さらに第１のコンセント４ａと第２のコンセント４ｂに給電する電源コード５がケーシング３から連出され、電源コード５の端部にプラグ６が取り付けられていることを特徴とすることも好ましい。
さらにまたケーシング３に開閉自在な扉７が取り付けられていることを特徴とすることも好ましい。
【０００７】
【作用】
上記構成によれば、ポール２の下部を地中に埋設して立設することで電源ポールＡを屋外の適所に立設して設置できる。そして屋外に設置した庭園灯等の照明器具のプラグを第１のコンセント４ａに差し込むことで照明器具に給電できる。このとき第１のコンセント４ａには外光の照度に応じてオンオフする自動スイッチ１を介して給電されるので外光の変化に応じて照明器具が点滅される。このように電源ポールＡに自動スイッチ１が組み込まれていることで別途配線工事を要せず照明器具を自動的に点滅できる。
【０００８】
また第２のコンセント４ｂにて外光の変化に関係なく通電を必要とする器具に給電できる。
【０００９】
また第１のコンセント４ａと第２のコンセント４ｂの差し込み口が下方を向いていると、屋外に設置するものでも、充電部に雨水等が浸入する危険性をなくすことができる。さらに第１のコンセント４ａと第２のコンセント４ｂに給電する電源コード５がケーシング３から連出され、電源コード５の端部にプラグ６が取り付けられていると、電源ポールＡを立設し、プラグ６を電源コンセントに接続することで電源ポールＡに給電できて特別な配線工事をしたりすることなく簡単に電源ポールＡに給電できる。
【００１０】
さらにまたケーシング３に開閉自在な扉７が取り付けられていると、扉７を開いて点検や第１のコンセント４ａと第２のコンセント４ｂへの接続が容易にできる。
【００１１】
【実施例】
まず、図１や図２に示す実施例から述べる。
電源ポールＡはポール２の上部に内部が中空のケーシング３を装着し、ケーシング３内に電気機器収納筺体８を内装して形成されている。ポール２の下部に下端が尖った打ち込み部９を設けてあり、打ち込み部９を地面に打入することで電源ポールＡを立設できるようになっている。ケーシング３は上底及び下底を閉塞せる円筒状であって、略半筒状のケーシング本体３ａと、略半筒状の扉７と、円形の上蓋１０及び下蓋１１で形成されている。
【００１２】
下蓋１１には円筒状の取り付けフランジ１２を設けてあり、取り付けフランジ１２をポール２の上端に被嵌し、取り付けフランジ１２の外周から取り付けフランジ１２に螺合した固定ビス１３にてポール２の上端に下蓋１１を取り付けてある。この下蓋１１には一対のコード挿通切り欠き１４とコード挿通孔１５を穿孔してある。ケーシング本体３ａの下端は下蓋１１の上に載置してあり、ケーシング本体３ａの下端を固定ビス１６にて下蓋１１に固着してある。ケーシング本体３ａの上端には上蓋１０を雄ねじ部１７への雌ねじ部１８の螺合にて取り付けてある。ケーシング本体３ａ内には電気機器収納筺体８を内装してあり、電気収納筺体８を固定ビス１９にてケーシング本体３ａに固定してある。
【００１３】
電気機器収納筺体８は上部筺体８ａと下部枠８ｂとで構成されており、上部筺体８ａ内には自動スイッチ１とブレーカ２０を内装してある。自動スイッチ１は外光の照度によりオンオフされるものであって、所謂ＥＥスイッチと称されるものである。つまり、外光の照度が一定以下になるとオンとなると共に外光の照度が一定以上になるとオフになる。上部筺体８ａの前面には自動スイッチ１の受光窓１ａとブレーカ２０の操作ハンドル２０ａを露出させてある。上部筺体８ａの下面にはコンセント４を装着してあり、コンセント４の差し込み口を下方に向けてある。このコンセント４は第１のコンセント４ａと第２のコンセント４ｂとで構成されている。第１コンセント４ａは上記自動スイッチ１のオンオフで限時的に通電されるコンセントであり、第２コンセント４ｂは常時通電されるコンセントである。
【００１４】
下部枠８ｂには上記下蓋１１のコード挿通切り欠き１４に対応するコード挿通切り欠き２２と軸受切り欠き２３とを設けてある。ケーシング本体３ａの開口の上部の一側には軸受孔２４を設けてある。ケーシング本体３ａの開口には扉７を配置してあり、扉７の一側の上下に設けた枢支軸２５を軸受孔２４や軸受切り欠き２３に回転自在に枢支して扉７を開閉自在にしてある。この扉７の上部には受光窓１ａに対応する窓孔２６を設けてあり、窓孔２６に透光板２７を装着してある。電源コード５は下蓋１１のコード挿通孔１５に挿通してあり、電源コード５の一端の端子２８を電気機器収納筺体８の上部筺体８ａに接続してあり、電源コード５の他端にプラグ６を装着してある。電源コード５から供給される電力はブレーカ２０を介して第１コンセント４ａや第２コンセント４ｂに供給され、第１コンセント４ａには自動スイッチ１を介して供給されるようになっている。
【００１５】
上記のように構成せる電源ポールＡはポール２の下部の打ち込み部９を地上に埋設することで適所に立設され、プラグ６を電源コンセントに接続して電源ポールＡに給電される。第１のコンセント４ａに庭園灯のような灯具が接続され、第２のコンセント４ｂにはその他の電気機器が接続される。第１のコンセント４ａや第２のコンセント４ｂを使用するときやケーシング３の内部を点検するとき扉７を開いて行う。また第１のコンセント４ａや第２のコンセント４ｂに接続した機器のコードはコード挿通切り欠き１４，２２に挿通される。
【００１６】
次に図３に示す実施例について述べる。
本実施例の電源ポールＡの場合、コンセント４としてアース端子３０を有するものを用いている。その他の構成は上記実施例と同じである。図４は上記実施例の回路図を示し、３１は電源、３２はアースを示す。電源３１には第１のコンセント４ａや第２のコンセント４ｂや自動スイッチ１をブレーカ２０を介して接続してあり、第１のコンセント４ａには自動スイッチ１を介して接続してある。
【００１７】
次に図５、図６に示す実施例について述べる。
本実施例の場合、コンセント４は３個並設してあり、このコンセント４は取り付け枠３８にはめ込んで取り付けてある。電気機器収納筺体８の上部筺体８ａの下部のコンセント取り付け開口３９にコンセント４を取り付けねじ３３にて取り付けてあり、上部筺体８ａのブレーカ取り付け開口３４にブレーカ２０を取り付けねじ３５にて取り付けてあり、上部筺体８ａのスイッチ取り付け開口３６に自動スイッチ１を取り付けねじ３７にて取り付けてある。
【００１８】
【発明の効果】
本発明は叙述のように下部を地中に埋設して立設するポールの上部にケーシングが設けられると共にケーシング内に第１のコンセントと第２のコンセントとが並設させられ、外光の照度に応じてオンオフする自動スイッチが第１のコンセントに給電する給電回路に挿入されたので、ポールの下部を地中に埋設して立設することで電源ポールを屋外の適所に立設して設置でき、屋外に設置した庭園灯等の照明器具のプラグを第１のコンセントに差し込むことで照明器具に給電できるものであって、外光の照度に応じてオンオフする自動スイッチを介して第１のコンセントに給電されるので外光の変化に応じて照明器具が点滅されるものであり、また電源ポールに自動スイッチが組み込まれていることで別途配線工事を要せず照明器具を自動的に点滅できるものであり、また第２のコンセントにて外光の変化に関係なく通電を必要とする器具に給電できるものであって、便利にコンセントを使い分けて使用できるものである。
【００２０】
本発明の請求項２記載の発明にあっては、第１のコンセントと第２のコンセントの差し込み口が下方を向いているので、屋外に設置するものでも、充電部に雨水等が浸入する危険性をなくすことができるものである。
本発明の請求項３記載の発明にあっては、第１のコンセントと第２のコンセントに給電する電源コードがケーシングから連出され、電源コードの端部にプラグが取り付けられているので、電源ポールを立設し、プラグを電源コンセントに接続することで電源ポールに給電できて特別な配線工事をしたりすることなく簡単に電源ポールに給電できるものである。
【００２１】
本発明の請求項４記載の発明にあっては、ケーシングに開閉自在な扉が取り付けられているので、扉を開いて点検や第１のコンセントと第２のコンセントへの接続が容易にできるものである。
【図面の簡単な説明】
【図１】本発明の一実施例の斜視図である。
【図２】同上の分解斜視図である。
【図３】同上の他の実施例の斜視図である。
【図４】同上の回路図である。
【図５】同上の他の実施例の要部の分解斜視図である。
【図６】同上のコンセント部分の分解斜視図である。
【図７】従来例の自動点滅スイッチの斜視図である。
【符号の説明】
Ａ  電源ポール
１  自動スイッチ
２  ポール
３  ケーシング
４  コンセント
４ａ  第１のコンセント
４ｂ  第２のコンセント
５  電源コード
６  プラグ
７  扉
【図１】
0003561994.tif 000002
【図２】
0003561994.tif 000003
【図３】
0003561994.tif 000004
【図４】
0003561994.tif 000005
【図５】
0003561994.tif 000006
【図６】
0003561994.tif 000007
【図７】
0003561994.tif 000008